(57)【要約】【課題】光学式記憶媒体ドライブ装置を許可なく使用できないように、該ドライブ装置に対して、簡単にはＣＤ、ＤＶＤ等の光学式記憶媒体を挿入・排出できないようにし、安全性を向上することを目的とする。【解決手段】光学式記憶媒体のディスクトレイをアンローディングするためのローディング機構４を制御するローディング機構制御部２を操作するイジェクト（アンローディング）スイッチ６を有するパーソナルコンピュータに内蔵又は外付けされる光学式記憶媒体ドライブ装置であって、ローディング機構制御部２を制御するためのセキュリティ制御部３と鍵スイッチ１０を備え、該セキュリティ制御部３を、鍵１１により操作される鍵スイッチ１０による制御に応じて、ローディング機構制御部２の機能を有効又は無効にするように機能するようにした。【選択図】　　　　図１
2004134030.tif 000002
【特許請求の範囲】
【請求項１】
光学式記憶媒体のディスクトレイをアンローディングするためのローディング機構を制御するローディング機構制御部を操作するイジェクト（アンローディング）スイッチを有するパーソナルコンピュータに内蔵又は外付けされる光学式記憶媒体ドライブ装置であって、ローディング機構制御部を制御するためのセキュリティ制御部と鍵操作の鍵スイッチを備え、該セキュリティ制御部は、鍵操作の鍵スイッチによる制御に応じて、ローディング機構制御部の機能を有効又は無効にするように機能するものであることを特徴とするセキュリティ機構付光学式記憶媒体ドライブ装置。
【請求項２】
光学式記憶媒体のディスクトレイをローディング及びアンローディングするためのローディング機構を制御するローディング機構制御部を操作するローディングスイッチ及びイジェクト（アンローディング）スイッチを有するパーソナルコンピュータに内蔵又は外付けされる光学式記憶媒体ドライブ装置であって、ローディング機構制御部を制御するためのセキュリティ制御部と鍵操作の鍵スイッチを備え、該セキュリティ制御部は、鍵操作の鍵スイッチによる制御に応じて、ローディング機構制御部の機能を有効又は無効にするように機能するものであることを特徴とするセキュリティ機構付光学式記憶媒体ドライブ装置。
【請求項３】
請求項１又は請求項２に記載のセキュリティ機構付光学式記憶媒体ドライブ装置において、鍵スイッチと、インジェクト（アンローディング）スイッチ又は、ローディングスイッチ及びインジェクト（アンローディング）スイッチを、光学式記憶媒体ドライブ装置本体の側部又は光学式記憶媒体ドライブ装置を内蔵するＰＣの側部に設けたことを特徴とするセキュリティ機構付光学式記憶媒体ドライブ装置。
【請求項４】
請求項１乃至請求項３のいずれか１項に記載のセキュリティ機構付光学式記憶媒体ドライブ装置において、鍵スイッチを操作する鍵は光学式記憶媒式体ドライブ装置ごとに異なる構造であることを特徴とするセキュリティ機構付光学式記憶媒体ドライブ装置。
【発明の詳細な説明】
【０００１】
【発明の属する技術分野】
本発明は、光学式記憶媒体に情報を記録（記憶）し、また記録（記憶）されている情報を再生するための光学式記憶媒体ドライブ装置に関し、特に光学式記憶媒体ドライブ装置に対して記録媒体を挿入及び排出するためのローディング機構にセキュリティ機構を設けて、許可された者だけが使用できるようにしたセキュリティ機構付光学式記憶媒体ドライブ装置に関する。
【０００２】
【従来の技術】
パーソナルコンピュータ（以下、単に「ＰＣ」と称する。）に内蔵又は外付けされる光学式記憶媒体ドライブ装置（以下、単に「ドライブ装置」と略称する。）においては、ＣＤ、ＤＶＤ等の光学式記憶媒体（以下、単に「記憶媒体」と略称する。）を挿入及び排出するために、ＣＤ又はＤＶＤ等の記憶媒体はディスクトレイに装填され、このディスクトレイがローディング機構により移動されてドライブ装置に対してローディング（挿入）又はアンローディング（排出）されるが、このローディング及びアンローディングの方式として、例えば次のようなものがある。
その１は、ローディングの際には、ドライブ装置外にディスクトレイを排出してこれに記憶媒体を装填し、手で記憶媒体を装填したディスクトレイを、例えばアンローディングばねに抗して所定位置まで押し込むことにより（これによりアンローディングばねは蓄勢される。）、ディスクトレイが電磁機構によりローディング位置にロックされる。そしてアンローディングの際には、ドライブ装置に設けたイジェクト（アンローディング）操作釦を押すことにより電磁機構の制御回路のイジェクトスイッチをオンにし、電磁機構を動作させて前記のロックを解除し、前記蓄勢されているアンローディングばねのばね力によりディスクトレイを排出し、装填されている記憶媒体を取り出し、空になったディスクトレイを再び手で押し込んでドライブ装置内に挿入するようにしたものである。
またその２は、上記の方式におけるアンローディングばねに代えてローディングモータを用いたもので、アンローディングの際にはドライブ装置に設けたイジェクト（アンローディング）操作釦を押し、ローディングモータの制御回路のイジェクトスイッチをオンにし、ローディングモータを駆動してディスクトレイを排出し、装填されている記憶媒体を取り出し、空になったディスクトレイを再び手で押し込んでドライブ装置内に挿入するようにしたものである。
【０００３】
その３は、ディスクトレイの挿入及び排出をいずれもローディングモータにより所定方向（正方向及び逆方向）に移動させて行うようにしたもので、イジェクト（アンローディング）操作釦とローディング操作釦を備えていて、アンローディングの際には、イジェク操作釦を押してローディングモータの制御回路（なお詳細な回路は省略する。）のイジェクト（アンローディング）スイッチをオンにしてモータを起動して正転させ、ディスクトレイをドライブ装置外に排出してこれに記憶媒体を装填する。次いでローディング操作釦を押してローディングモータの制御回路のローディングスイッチをオンにしてローディングモータを起動して逆転させ、記憶媒体を装填したディスクトレイをドライブ装置内の所定位置まで挿入し、必要に応じてその位置にロックする。
またディスクトレイに装填されドライブ装置内に挿入されている記憶媒体を排出するには、上記のようにイジェクト操作釦を押すことによりディスクトレイをドライブ装置外に排出して記憶媒体を取り外すことができ、再びローディング操作釦を押すことにより空になったディスクトレイをドライブ装置内に挿入することができる。
【０００４】
なお以上において、アンローディングばね或いはローディングモータ及び電磁機構等のロック手段を含むものが、ディスクトレイをドライブ装置に対してローディング又はアンローディングするためのローディング機構を構成し、またこのようなローディング機構を前述のように動作させるイジェクト（アンローディング）スイッチ、ローディングスイッチ、モータ等を含むものが、ローディング機構制御回路を構成していることになる。
【０００５】
図４は上記のその１及びその２の場合のドライブ装置のブロック図を示し、図５はそのドライブ装置を内蔵したＰＣの概略の外観図を示す。
図４において、１はディスクトレイの挿入・排出及び所定位置に挿入された記憶媒体を回転制御する等の機能を奏するドライブ機構５を制御するドライブ機構制御部、２はローディング機構４を制御するローディング機構制御部、６はイジェクト（アンローディング）スイッチで、イジェクト（アンローディング）操作釦７により操作されてオンになる。
ＰＣ１５に内蔵されるドライブ装置に挿入されているディスクトレイを排出する際には、イジェクト操作釦７を押してイジェクトスイッチ６をオンにすると、ローディング機構制御部２が機能してローディング機構４を制御して動作させ、その結果としてディスクトレイをその挿入・排出口１３から排出することができる。
そしてディスクトレイをドライブ装置に挿入する際には、この排出されたディスクトレイを手で押すことにより、ディスクトレイは所定位置（記憶媒体が記憶・再生可能位置）まで移動する。
従ってディスクトレイをドライブ装置に挿入する際に、ディスクトレイに記憶媒体を装填しておけば、この記憶媒体はディスクトレイと共にドライブ装置の所定位置まで移動することになり、記憶媒体が情報（音楽、映像等）を記録（記憶）したものである場合にはこれを再生することができる。
また図５のようにドライブ装置がＰＣ１５に内蔵されている場合には、ＰＣ内の固定記憶装置に記録（記憶）保存されている情報をコピー（記録）することができ、情報をコピー（記録）した記憶媒体は、イジェクト（アンローディング）操作釦７を押してイジェクト（アンローディング）スイッチ６をオンにすることにより、外部に排出することができる。
【０００６】
このように、単にディスクトレイを手で押すか、イジェクト（アンローディング）操作釦を押すだけで、記憶媒体をドライブ装置に対して挿入・排出できるために、ドライブ装置は誰でも自由に使用することができることになり、特にドライブ装置がＰＣに内蔵されている場合にはＰＣ内の固定記憶装置に記録（記憶）保存されている情報は、記憶容量の大きなＣＤ、ＤＶＤ等の光学式記憶媒体に容易にコピー（記録）でき、これを外部に運び出せることになる。
そしてこの情報が秘密性を帯びたものである場合には、秘密事項が簡単に外部に漏洩することになる。
【０００７】
【発明が解決しようとする課題】
本発明は、光学式記憶媒体ドライブ装置を許可なく使用できないように、該ドライブ装置に対して、簡単にはＣＤ、ＤＶＤ等の光学式記憶媒体を挿入・排出できないようにし、安全性を向上することを目的とする。
【０００８】
【課題を解決するための手段】
上記目的を達成するために、本発明のセキュリティ機構付光学式記憶媒体ドライブ装置は、光学式記憶媒体のディスクトレイをアンローディングするためのローディング機構を制御するローディング機構制御部を操作するイジェクト（アンローディング）スイッチを有するパーソナルコンピュータに内蔵又は外付けされる光学式記憶媒体ドライブ装置であって、ローディング機構制御部を制御するためのセキュリティ制御部と鍵操作の鍵スイッチを備え、該セキュリティ制御部を、鍵操作の鍵スイッチによる制御に応じて、ローディング機構制御部の機能を有効又は無効にするように機能するようにした。
また、光学式記憶媒体のディスクトレイをローディング及びアンローディングするためのローディング機構を制御するローディング機構制御部を操作するローディングスイッチ及びイジェクト（アンローディング）スイッチを有するパーソナルコンピュータに内蔵又は外付けされる光学式記憶媒体ドライブ装置であって、ローディング機構制御部を制御するためのセキュリティ制御部と鍵操作の鍵スイッチを備え、該セキュリティ制御部を、鍵操作の鍵スイッチによる制御に応じて、ローディング機構制御部の機能を有効又は無効にするように機能するようにした。
さらに、鍵スイッチと、インジェクト（アンローディング）スイッチ又は、ローディングスイッチ及びインジェクト（アンローディング）スイッチを、光学式記憶媒体ドライブ装置本体の側部又は光学式記憶媒体ドライブ装置を内蔵するＰＣの側部に設けた。
さらにまた、鍵スイッチを操作する鍵を光学式記憶媒式体ドライブ装置ごとに異なる構造にした。
【０００９】
【発明の実施の形態】
本発明の実施の形態を実施例にもとづき図面を参照して説明する。
図１は、実施例１のドライブ装置のブロック図を示し、図２はドライブ装置の概略の外観図である。
ドライブ装置１２は概略、従来のドライブ機構制御部１、ローディング機構制御部２、ローディング機構４、ドライブ機構５から成るものに、ローディング機構制御部２を制御するためのセキュリティ制御部３と鍵１１により操作される鍵スイッチ１０を備えたことを特徴とする。
このセキュリティ制御部３は、鍵１１により操作される鍵スイッチ１０による制御に応じて、ローディング機構制御部２の機能を有効又は無効にするように機能するものである。
即ち鍵スイッチ１０がオフの場合には、イジェクト操作釦７を押してイジェクトスイッチ６をオンにしても、ローディング機構制御回路を付勢せず、ローディング機構制御部２を機能させることができない（即ち、ローディング機構制御部２の機能を無効にする）ので、ローディング機構４を動作不能にさせた状態に維持するが、ドライブ装置１２からディスクトレイを排出するために、鍵１１を鍵穴１４に差し込んで所定角度回動することにより鍵スイッチ１０をオンにした状態で、イジェクト操作釦７を押してイジェクトスイッチ６をオンにすることにより、ローディング機構制御回路を付勢し、ローディング機構制御部２を機能させて（即ち、ローディング機構制御部２の機能を有効にして）ローディング機構４を動作させ、ドライブ装置１２からディスクトレイを排出するように構成されている。この場合ドライブ装置１２へのディスクトレイのローディング（挿入）は手動で行われる。
なおこれらの具体的な構成自体は従来からの技術で実現できるので、これ以上の説明は省略する。
【００１０】
これにより、ドライブ装置内に挿入されているディスクトレイは、この鍵スイッチ１０をオンしない限りはドライブ装置１２内に挿入されたままであるので、イジェクト操作釦７を押してイジェクトスイッチ６をオンにしてもローディング機構４が動作せず、結果として、ディスクトレイをドライブ装置から排出することができない。
従って、ディスクトレイに記憶媒体を装填できず、ドライブ装置内の所定位置まで挿入することができない。その結果ドライブ装置を使用することができないことになり、これにより、記憶媒体に記録（記憶）されている情報を再生することができないし、またＰＣに内蔵されている固定記憶装置に記録（記憶）保存されている情報を記憶媒体にコピー（記録）できないので、機密漏洩を防止することができる。
なお鍵１１により鍵スイッチ１０をオンにし、イジェクト操作釦７を押してインジェクトスイッチ６をオンにすることにより、ディスクトレイを排出方向へ動かすことができ、従来と同様に記憶媒体に記録（記憶）されている情報を再生することができ、またＰＣ内の固定記憶装置に記録（記憶）保存されている情報を記憶媒体にコピー（記録）し、ドライブ装置外に取り出することができる。
【００１１】
図３は、実施例２のドライブ装置のブロック図を示し、ドライブ装置へのディスクトレイのローディング（挿入）は手動でなく、イジェクト（排出）の場合と同様にローディングモータにより行うものである。
実施例１と異なる点は、ローディング機構制御部２を、ディスクトレイをローディング（挿入）するように機能させるための、ローディングスイッチ８を設けたことである。
そして鍵１１により鍵スイッチ１０をオンにした状態で、ローディングスイッチ８をオンにすることにより、ローディングモータをイジェクトの場合とは逆方向に回転するように、ローディング機構制御部２が機能し、ローディング機構４が動作し、結果としてドライブ装置内にディスクトレイをローディング（挿入）することができる。なおドライブ装置からのディスクトレイのイジェクト動作は実施例１の場合と同様である。
【００１２】
従って、この場合も鍵１１を操作して鍵スイッチ１０をオンにしない限りは、ドライブ装置に対して記憶媒体を挿入・排出できないので、該ドライブ装置を使用することができず、記憶媒体に記録（記憶）した情報を再生することができないし、またＰＣに内蔵されている固定記憶装置に記録（記憶）保存されている情報を記憶媒体にコピー（記録）することもできないので、機密漏洩を防止することができる。
なおいずれの場合も、イジェクト（アンローディング）スイッチ６、ローディングスイッチ８、鍵スイッチ１０、操作釦７、鍵穴１４等はドライブ装置の側部、又はドライブ装置をＰＣに内蔵する場合には該ＰＣの側部に設けられる。また鍵１１は、ドライブ装置ごとに異なる構造であることが望ましい。
【００１３】
【発明の効果】
本発明によれば、ローディング機構制御回路にセキュリティ用の鍵スイッチを設けることにより、ドライブ装置の使用を制限し、鍵を操作して鍵スイッチをオンにしない限りは、記憶媒体に記録（記憶）された情報の再生、記憶媒体への情報のコピー（記録）をできないようにしたので、特にＰＣ内の固定記憶装置に記録（記憶）保存されている機密情報の漏洩を防止することができる。
【図面の簡単な説明】
【図１】実施例１の光学式記憶媒体ドライブ装置のブロック図である。
【図２】実施例１の光学式記憶媒体ドライブ装置の概略の外観図である。
【図３】実施例２の光学式記憶媒体ドライブ装置ブロック図である。
【図４】従来の光学式記憶媒体ドライブ装置のブロック図である。
【図５】従来の光学式記憶媒体ドライブ装置を内蔵したＰＣの概略の外観図である。
【符号の説明】
１　光学式記憶媒体ドライブ装置のドライブ機構制御部
２　ローディング機構制御部
３　セキュリティ制御部
４　ローディング機構
５　光学式記憶媒体ドライブ機構
６　イジェクト（アンローディング）スイッチ
７　イジェクトスイッチ操作釦
８　ローディングスイッチ
１０　鍵スイッチ
１１　鍵
１２　光学式記憶媒体ドライブ装置
１３　ディスクトレイ及び記憶媒体の挿入・排出口
１４　鍵穴
１５　光学式記憶媒体ドライブ装置内蔵のＰＣ
【図１】
2004134030.tif 000003
【図２】
2004134030.tif 000004
【図３】
2004134030.tif 000005
【図４】
2004134030.tif 000006
【図５】
2004134030.tif 000007